(57)【要約】  本発明は、小規模セルにおいて、移動局の基地局への登録の可否を適切に決定することができるようにすることを目的とする。登録装置は、小規模セルにおける移動局を登録する登録装置であって、移動局との距離、および移動局の滞在期間に基づいて移動局を登録するか否かを決定する決定部を有する（図１）。
2010090233.tif 000002
【特許請求の範囲】
【請求項１】
小規模セルにおける移動局を登録する登録装置であって、
前記移動局との距離、及び前記移動局の滞在期間に基づいて前記移動局を登録するか否かを決定する決定部を備えていることを特徴とする登録装置。
【請求項２】
前記決定部は、前記移動局との距離が所定の距離以内である場合に前記移動局を登録するように決定することを特徴とする、請求項１に記載の登録装置。
【請求項３】
前記決定部は、前記移動局の滞在期間が所定の期間以上である場合に前記移動局を登録するように決定することを特徴とする、請求項１又は２に記載の登録装置。
【請求項４】
前記移動局からの伝搬遅延を測定するとともに、測定された伝搬遅延に基づいて前記移動局との距離を算出する距離算出部を備えていることを特徴とする、請求項１乃至３のいずれか１項に記載の登録装置。
【請求項５】
前記距離算出部は、前記移動局からの位置登録要求の受信時に前記伝搬遅延を測定することを特徴とする、請求項４に記載の登録装置。
【請求項６】
前記移動局からの位置登録要求が継続した期間に基づいて前記移動局の滞在期間を算出する滞在期間算出部を備えていることを特徴とする、請求項１乃至５のいずれか１項に記載の登録装置。
【請求項７】
前記移動局からの位置登録要求の回数に基づいて前記移動局の滞在期間を算出する滞在期間算出部を備えていることを特徴とする、請求項１乃至５のいずれか１項に記載の登録装置。
【請求項８】
前記移動局からの位置登録要求は、物理ランダムアクセスチャネルにおいて送信されるＲＲＣ接続リクエスト（ＲＲＣ  Ｃｏｎｎｅｃｔｉｏｎ  Ｒｅｑｕｅｓｔ）であることを特徴とする、請求項５乃至７のいずれか１項に記載の登録装置。
【請求項９】
前記移動局からの位置登録要求に含まれる加入者識別子を記憶する記憶部を備えていることを特徴とする、請求項１乃至８のいずれか１項に記載の登録装置。
【請求項１０】
前記決定部は、前記記憶部に記憶された加入者識別子に基づいて前記移動局を識別することを特徴とする、請求項９に記載の登録装置。
【請求項１１】
前記加入者識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする、請求項９又は１０に記載の登録装置。
【請求項１２】
請求項１乃至１１のいずれか１項に記載の登録装置を備えていることを特徴とする基地局。
【請求項１３】
小規模セルにおける基地局に位置登録要求を送信するとともに、
前記基地局によって、前記基地局との距離及び滞在期間に基づいて前記基地局に登録されるか否かが決定されることを特徴とする移動局。
【請求項１４】
前記基地局との距離が所定の距離以内である場合に、前記基地局によって前記基地局に登録されるように決定されることを特徴とする、請求項１３に記載の移動局。
【請求項１５】
前記滞在期間が所定の期間以上である場合に、前記基地局によって前記基地局に登録されるように決定されることを特徴とする、請求項１３又は１４に記載の移動局。
【請求項１６】
セル方式に基く無線通信基地局装置であって、
移動局との距離及び該移動局のセルにおける滞在期間に基いて、該移動局の登録の許否を決定することを特徴とする無線通信基地局装置。
【請求項１７】
移動局との距離が所定の距離以内であって、該移動局のセルにおける滞在期間が所定の期間以上である場合に、該移動局の登録を許可することを特徴とする、請求項１６に記載の無線通信基地局装置。
【請求項１８】
移動局からの伝搬遅延を測定し、測定された伝搬遅延に基いて該移動局との距離を算出することを特徴とする、請求項１６又は１７に記載の無線通信基地局装置。
【請求項１９】
移動局からの位置登録要求の持続期間又はその回数に基いて、該移動局のセルにおける滞在期間を算出することを特徴とする、請求項１６乃至１８のいずれか１項に記載の無線通信基地局装置。
【請求項２０】
小規模セルにおける移動局を登録する登録方法であって、
前記移動局との距離、及び前記移動局の滞在期間に基づいて前記移動局を登録するか否かを決定する決定工程を含むことを特徴とする登録方法。
【請求項２１】
前記決定工程において、前記移動局との距離が所定の距離以内である場合に前記移動局が登録されることを特徴とする、請求項２０に記載の登録方法。
【請求項２２】
前記決定工程において、前記移動局の滞在期間が所定の期間以上である場合に前記移動局を登録されることを特徴とする、請求項２０又は２１に記載の登録方法。
【請求項２３】
前記移動局からの伝搬遅延を測定するとともに、測定された伝搬遅延に基づいて前記移動局との距離を算出する距離算出工程を含むことを特徴とする、請求項２０乃至２２のいずれか１項に記載の登録方法。
【請求項２４】
前記距離算出工程において、前記移動局からの位置登録要求の受信時に前記伝搬遅延が測定されることを特徴とする、請求項２３に記載の登録方法。
【請求項２５】
前記移動局からの位置登録要求が継続した期間に基づいて前記移動局の滞在期間を算出する滞在期間算出工程を含むことを特徴とする、請求項２０乃至２４のいずれか１項に記載の登録方法。
【請求項２６】
前記移動局からの位置登録要求の回数に基づいて前記移動局の滞在期間を算出する滞在期間算出工程を含むことを特徴とする、請求項２０乃至２４のいずれか１項に記載の登録方法。
【請求項２７】
前記移動局からの位置登録要求に含まれる加入者識別子を記憶する記憶工程を含むことを特徴とする、請求項２０乃至２６のいずれか１項に記載の登録方法。
【請求項２８】
前記決定工程において、前記記憶工程において記憶された加入者識別子に基づいて前記移動局を識別することを特徴とする、請求項２７に記載の登録方法。
【請求項２９】
小規模セルにおける移動局を登録する処理をコンピュータに実行させるプログラムであって、
前記移動局との距離、及び前記移動局の滞在期間に基づいて前記移動局を登録するか否かを決定する決定処理をコンピュータに実行させることを特徴とするプログラム。
【請求項３０】
前記決定処理において、前記移動局との距離が所定の距離以内である場合に前記移動局を登録するように決定する処理をコンピュータに実行させることを特徴とする、請求項２９に記載のプログラム。
【請求項３１】
前記決定工程において、前記移動局の滞在期間が所定の期間以上である場合に前記移動局を登録するように決定する処理をコンピュータに実行させることを特徴とする、請求項２９又は３０に記載のプログラム。
【請求項３２】
前記移動局からの伝搬遅延を測定するとともに、測定された伝搬遅延に基づいて前記移動局との距離を算出する距離算出処理をコンピュータに実行させることを特徴とする、請求項２９乃至３１のいずれか１項に記載のプログラム。
【請求項３３】
前記距離算出処理において、前記移動局からの位置登録要求の受信時に前記伝搬遅延を測定する処理をコンピュータに実行させることを特徴とする、請求項３２に記載のプログラム。
【請求項３４】
前記移動局からの位置登録要求が継続した期間に基づいて前記移動局の滞在期間を算出する滞在期間算出処理をコンピュータに実行させることを特徴とする、請求項２９乃至３３のいずれか１項に記載のプログラム。
【請求項３５】
前記移動局からの位置登録要求の回数に基づいて前記移動局の滞在期間を算出する滞在期間算出処理をコンピュータに実行させることを特徴とする、請求項２９乃至３３のいずれか１項に記載のプログラム。
【請求項３６】
前記移動局からの位置登録要求に含まれる加入者識別子を記憶部に記憶させる記憶処理をコンピュータに実行させることを特徴とする、請求項２９乃至３５のいずれか１項に記載のプログラム。
【請求項３７】
前記決定処理において、前記記憶部に記憶された加入者識別子に基づいて前記移動局を識別する処理をコンピュータに実行させることを特徴とする、請求項３６に記載のプログラム。
【発明の詳細な説明】
【技術分野】
【０００１】
（関連出願についての記載）
本発明は、日本国特許出願：特願２００９−０２４１７７号（２００９年２月４日出願）の優先権主張に基づくものであり、同出願の全記載内容は引用をもって本書に組み込み記載されているものとする。【０００２】
本発明は、無線通信における移動局の登録装置、登録方法およびプログラム、ならびに基地局に関し、特に、フェムトセルその他の小規模セルにおける移動局の登録装置、登録方法およびプログラム、ならびに基地局に関する。
【背景技術】
【０００３】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムの無線基地局装置をさらに家庭内へと展開する小規模セルとしてフェムトセルが注目されはじめている。フェムトセルは、家の中や小規模のオフィス（例えば、ＳＯＨＯ）などの狭いエリアをカバーする。【０００４】
フェムトセルにおいては、家族や従業員のような限られたユーザのみが基地局を使用することができる。すなわち、これらのユーザ間で無線リソースを占有することができる。したがって、一般網における携帯無線通信と比較して、ユーザは高速なデータ通信を享受することができる。また、フェムトセルのユーザに対して、フェムトゾーンと呼ばれる割安の料金設定を設けることもできる。【０００５】
フェムトセルにおける基地局の使用を、家族や従業員のような限られたユーザに限定するために、基地局に対してアクセス可能なユーザを予め登録しておく必要がある。また、事前に登録されたユーザ以外による基地局へのアクセスを許可しない仕組みも必要とされる。基地局は、電話番号などの情報をユーザ情報として予め登録しておく。基地局は、移動局が、呼接続要求を送信する際に付与するＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を参照し、アクセス可能なユーザであるか否かを判定する。ＩＭＳＩは電話番号を含む。【０００６】
特許文献１において、無線基地局と移動局との間で定期的に位置情報をやり取りし、無線基地局と移動局との間で距離が変化しているか否かを無線基地局によって検出する無線通信システムが記載されている。
【先行技術文献】
【特許文献】
【０００７】
【特許文献１】特開２００２−１１１７６９号公報（図２）
【発明の概要】
【発明が解決しようとする課題】
【０００８】
なお、上記特許文献の全開示内容はその引用をもって本書に繰込み記載する。【０００９】
以下の分析は、本発明者によってなされたものである。フェムトセルの基地局には、予めアクセス可能なユーザを登録する必要がある。また、登録されたユーザ以外は基地局にアクセスすることはできない。したがって、例えば、自宅に訪れた友人や知人のような、いわゆるゲストユーザの携帯電話による基地局へのアクセスを可能とするには、その都度、訪れたゲストユーザの電話番号を基地局に登録しなければならない。【００１０】
ゲストユーザを基地局に登録しない場合には、ゲストユーザの移動局は、最も近くに存在するセルであるフェムトセルと通信をすることができず、周辺のマクロセルと通信をしなければならない。また、訪問先のフェムトセルのユーザがフェムトセルの基地局と通信を行っている場合には、そのユーザの通信による電波は、ゲストユーザの移動局に対する干渉波となる。したがって、ゲストユーザの移動局は、周辺のマクロセルの電波を正常に受信することができないおそれもある。【００１１】
しかしながら、フェムトセルの基地局の所有者が、フェムトセルの基地局にＬＡＮ経由でＰＣを接続して、ゲストユーザの電話番号を基地局に登録するのは煩わしいという問題がある。【００１２】
また、上記の特許文献１のように、基地局によって、基地局と移動局との間で距離を検出することができたとしても、基地局は、基地局と移動局との距離のみに基づいて、基地局へのアクセスを許可すべきゲストユーザと、それ以外の来訪者とを識別することができないという問題がある。例えば、荷物やクリーニングの配達のための来訪者は基地局へのアクセスを許可すべきでないものの、基地局と移動局との距離のみに基づいて、アクセスの可否を判定した場合には、これらの来訪者を誤って登録してしまうという問題がある。【００１３】
そこで、フェムトセルその他の小規模セルにおいて、移動局の基地局への登録の可否を適切に決定することができるようにすることが課題となる。本発明の目的は、かかる課題を解決する登録装置、登録方法およびプログラムを提供することにある。
【課題を解決するための手段】
【００１４】
本発明の第１の視点に係る登録装置は、小規模セルにおける移動局を登録する登録装置であって、移動局との距離、及び移動局の滞在期間に基づいて移動局を登録するか否かを決定する決定部を有する。【００１５】
また、小規模セルにおける基地局は、上記の登録装置を有することが好ましい。【００１６】
本発明の第２の視点に係る移動局は、小規模セルにおける基地局に位置登録要求を送信するとともに、基地局によって、基地局との距離及び滞在期間に基づいて基地局に登録されるか否かが決定される。【００１７】
本発明の第３の視点に係る無線通信基地局装置は、セル方式に基く無線通信基地局装置であって、
移動局との距離及び該移動局のセルにおける滞在期間に基いて、該移動局の登録の許否を決定する。【００１８】
本発明の第４の視点に係る登録方法は、小規模セルにおける移動局を登録する登録方法であって、移動局との距離、及び移動局の滞在期間に基づいて移動局を登録するか否かを決定する決定工程を含む。【００１９】
本発明の第５の視点に係るプログラムは、小規模セルにおける移動局を登録する処理をコンピュータに実行させるプログラムであって、移動局との距離、及び移動局の滞在期間に基づいて移動局を登録するか否かを決定する決定処理をコンピュータに実行させる。【００２０】
また、上記のプログラムは、任意の（コンピュータ読み取り可能な）記録媒体に記録することができる。
【発明の効果】
【００２１】
本発明に係る登録装置、登録方法およびプログラムによると、フェムトセルその他の小規模セルにおいて、移動局の基地局への登録の可否を適切に決定することができる。
【図面の簡単な説明】
【００２２】
【図１】本発明の実施形態に係る登録装置の構成を示すブロック図である。
【図２】本発明の実施例におけるフェムトセルを概略的に示す図である。
【図３】本発明の実施例における基地局の構成を示すブロック図である。
【図４】本発明の実施例における基地局の動作を示すフローチャートである。
【発明を実施するための形態】
【００２３】
本発明の実施形態に係る登録装置について、図面を参照して説明する。図１は、本実施形態に係る登録装置の構成を示すブロック図である。
【００２４】
図１を参照すると、登録装置１０は、決定部１１、距離算出部１２、滞在期間算出部１３、および記憶部１４を有する。登録装置１０は、小規模セルにおける移動局を登録する登録装置である。
【００２５】
決定部１１は、移動局との距離、及び移動局の滞在期間に基づいて移動局を登録するか否かを決定する。距離と滞在時間の両方にもとづいて登録の可否を決定することにより、基地局に対する移動局の登録の可否を適切に決定することができる。基地局に対するアクセスを許可すべきゲストユーザの移動局と、それ以外のユーザの移動局とを識別することができるからである。
【００２６】
決定部１１は、移動局との距離が所定の距離以内である場合に移動局を登録するように決定することが好ましい。決定部１１は、移動局の滞在期間が所定の期間以上である場合に移動局を登録するように決定することが好ましい。ゲストユーザは、荷物やクリーニングの配達のための来訪者と比較して、長い期間小規模セルに滞在するからである。
【００２７】
距離算出部１２は、移動局からの伝搬遅延を測定するとともに測定された伝搬遅延に基づいて移動局との距離を算出する。距離算出部１２は、移動局からの位置登録要求の受信時に伝搬遅延を測定するようにしてもよい。
【００２８】
滞在期間算出部１３は、移動局からの位置登録要求が継続した期間に基づいて移動局の滞在期間を算出する。滞在期間算出部１３は、移動局からの位置登録要求の回数に基づいて移動局の滞在期間を算出するようにしてもよい。
【００２９】
移動局からの位置登録要求は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）において送信されるＲＲＣ接続リクエスト（ＲＲＣ  Ｃｏｎｎｅｃｔｉｏｎ  Ｒｅｑｕｅｓｔ）であってもよい。
【００３０】
記憶部１４は、移動局からの位置登録要求に含まれる加入者識別子を記憶する。決定部１１は、記憶部１４に記憶された加入者識別子に基づいて移動局を識別するようにしてもよい。加入者識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。
【００３１】
基地局１００（図１）は、上記の登録装置１０を有することが好ましい。小規模セルにおいて基地局１００を用いることによって、移動局の基地局１００への登録の可否を適切に決定することができるからである。
【実施例１】
【００３２】
本発明の実施例について、図面を参照して説明する。【００３３】
（実施例の構成）
図３は、本実施例における小規模セル９０を概略的に示す。基地局２００は、小規模セル９０に対する基地局である。小規模セル９０には、移動局７０、および、移動局８０が含まれるものとする。図２は、本実施例における基地局２００の構成を示すブロック図である。なお、移動局７０は、基地局２００へのアクセスが許可された登録済の移動局とする。【００３４】
図２を参照すると、基地局２００は登録装置２０を有する。登録装置２０は、制御部３０、記憶部４０、ベースバンド信号処理部５０、および送受信部６０を有する。【００３５】
制御部３０は、さらに、認証処理部３１およびメッセージ処理部３２を有する。記憶部４０は、さらに、認証用データ記憶部４１および位置情報記憶部４２を有する。ベースバンド信号処理部５０は、さらに、ＰＲＡＣＨ信号処理部５１を有する。制御部３０は、記憶部４０にアクセスする。【００３６】
移動局７０に対する認証情報は、予め、制御部３０の認証処理部３１によって、記憶部４０の認証用データ記憶部４１に記録されている。したがって、移動局７０は、基地局２００を介した通信を行うことができる。【００３７】
ＰＲＡＣＨ信号処理部５１は、ＰＲＡＣＨを受信し、ＰＲＡＣＨ受信時の基地局２００と移動局７０および移動局８０との間の伝搬遅延の測定を行う。【００３８】
制御部３０は、測定された伝搬遅延情報を距離情報に変換して、位置情報記憶部４２に記録する。メッセージ処理部３２は、移動局７０および移動局８０から受信したメッセージを解析し、認証用情報（例えば、ＩＭＳＩ）を抽出する。【００３９】
送受信部６０は、移動局７０および移動局８０との送受信を行うためのアンテナおよびアンプ（いずれも非図示）を含む。【００４０】
（動作の説明）
ゲストユーザの所有する移動局８０を基地局２００に登録する場合の動作について、図２を参照しつつ、さらに詳細に説明する。【００４１】
移動局８０が基地局２００に対応する小規模セル９０に入った場合には、移動局８０は、基地局２００へ位置登録要求（ＲＲＣ接続リクエスト）を送信する。【００４２】
位置登録情報は、ＰＲＡＣＨと呼ばれるチャネルを介して送信される。ＰＲＡＣＨ信号処理部５１は、受信した位置登録情報を処理（ないし解析）する。ＰＲＡＣＨ信号処理部５１は、移動局８０と基地局２００と間の伝搬遅延（Ｐｒｏｐａｇａｔｉｏｎ  Ｄｅｌａｙ）を測定する。かかる動作は、３ＧＰＰスペック（ＴＳ２５．４３５）において規定されている。ＰＲＡＣＨ信号処理部５１は、移動局８０から受信したＲＡＣＨプリアンブル部（ＲＡＣＨメッセージ部の送信許可要求）に対して、ＡＩＣＨと呼ばれるチャネルを介して、移動局８０のＲＡＣＨメッセージ部の送信許可を通知する。ＡＩＣＨにおいて送信許可された移動局８０は、所定の時間内にＲＡＣＨメッセージ部を基地局２００へ送信する。基地局２００は、ＡＩＣＨ送信タイミングとＲＡＣＨメッセージ部受信タイミングとの差に基づいて、基地局２００と移動局８０との間の伝搬遅延を測定することができる。【００４３】
基地局２００は、移動局８０に対する伝搬遅延に基づいて、基地局２００と移動局８０との間の距離を推定することができる。例えば、伝搬遅延に基づく距離の推定は、伝搬遅延のそれぞれに対応する距離をテーブルとして保持することで実現することができる。一例として、伝搬遅延がｘである場合には、距離はｙメートル〜ｚメートルの範囲である、というように決定してもよい。【００４４】
ここで、基地局２００と移動局８０との距離を計算する理由は、例えば、一般家庭に設置された基地局２００の場合には、家の外からも位置登録要求を受信する可能性があるからである。すなわち、計算された距離は、例えば、家の外を通行している第三者による位置登録要求と、家に来訪したゲストユーザによる位置登録要求と、を区別するために用いられる。【００４５】
制御部３０は、ＰＲＡＣＨ信号処理部５１によって測定された伝搬遅延を距離情報（ないしは、位置情報）に変換して、記憶部４０の位置情報記憶部４２に記録する。【００４６】
メッセージ処理部３２は、位置登録要求（ＲＲＣ接続リクエストメッセージ）を解析し、メッセージに含まれるゲストユーザのＩＭＳＩを一時的に保持する。ＩＭＳＩは、最終的にゲストユーザの登録を許可した場合に必要とされる。また、ＩＭＳＩは、後述の動作において、同一のゲストユーザからの位置登録要求であるか否かを識別するためにも用いることができる。【００４７】
位置登録要求を送信したゲストユーザが基地局２００の設置された小規模セル９０に対するゲストユーザであることが認識されるまで、基地局２００は、ゲストユーザの所有する移動局８０からの位置登録要求をＲｅｊｅｃｔ（許否）するとともに、移動局８０に対し、一定周期で位置登録要求を繰返し送信させる。かかる動作は、３ＧＰＰにおいて、基地局が移動局へ報知情報（Ｓｙｓｔｅｍ  Ｉｎｆｏｒｍａｔｉｏｎ  Ｂｌｏｃｋ）として通知しているタイマ値およびカウンタ値を制御することによって、実現することができる。すなわち、基地局２００は、所望の周期で、一定の回数（ないし一定の期間）、配下の移動局に位置登録要求を送信させることができる。【００４８】
基地局２００が移動局８０に対して複数回にわたって位置登録要求を送信させるのは、次の理由による。例えば、荷物やクリーニングの配達や勧誘などの用途で来訪した者の滞在時間と、ゲストユーザの滞在時間とは異なる。したがって、基地局２００が一定時間以上滞在した者をゲストユーザとして判定することができるようにするためである。【００４９】
所定の回数以上（ないし、所定の期間以上）、所定の距離以内の同一のユーザの所有する移動局８０から位置登録要求を受信した場合には、基地局２００は、そのユーザをゲストユーザと判定し、そのユーザのＩＭＳＩをゲストユーザとして基地局２００の認証用データ記憶部４１に記録し、位置登録要求を許可するとともに呼接続も許可する。【００５０】
以上の動作を、フローチャートを用いて説明する。図４は、本実施例における基地局２００の動作を示すフローチャートである。【００５１】
送受信部６０は、移動局８０から位置登録要求（ＰＲＡＣＨ）を受信する（ステップＳ１）。ＰＲＡＣＨ信号処理部５１は、移動局８０に対する伝搬遅延を測定する（ステップＳ２）。このとき、制御部３０は、測定された伝搬遅延に基づいて、移動局８０の位置（ないし、移動局８０と基地局２００との距離）を推定する。【００５２】
メッセージ処理部３２は、位置登録要求に含まれるＩＭＳＩを抽出する（ステップＳ３）。抽出されたＩＭＳＩがすでに登録済みのユーザに対するＩＭＳＩであるか否かを判定する（ステップＳ４）。すでに登録済みのユーザに対するＩＭＳＩである場合には（ステップＳ４のＹｅｓ）、移動局８０の位置登録を許可する（ステップＳ５）。【００５３】
受信したＩＭＳＩが登録済みのユーザに対するＩＭＳＩでない場合には（ステップＳ４のＮｏ）、位置登録要求を送信した移動局８０との距離が所定の距離以内であるか否かを判定する（ステップＳ６）。移動局８０と基地局２００との距離が所定の距離以内でない場合には（ステップＳ６のＮｏ）、そのユーザはゲストユーザではないものと判定し、移動局８０からの位置登録要求を不許可とする（ステップＳ７）。【００５４】
所定の距離以内で、移動局８０からの位置登録要求が送信されている場合には（ステップＳ６のＹｅｓ）、移動局８０が所定の期間以上、位置登録要求を行っているかを判定する（ステップＳ８）。移動局８０が、所定の期間以上、位置登録を送信している場合には（ステップＳ８のＹｅｓ）、その移動局８０の所有者をゲストユーザであると判定し、位置登録要求を許可する（ステップＳ５）。一方、所定の期間未満である場合には（ステップＳ８のＮｏ）、移動局８０からの位置登録要求を不許可とし（ステップＳ７）、再び位置登録要求を受信する（ステップＳ１）まで待機する。【００５５】
（効果の説明）
基地局２００にユーザを登録する際には、基地局２００の記憶部４０にユーザ情報（例えば、各移動局が持つＩＭＳＩ）を書き込む必要がある。しかし、家族以外の第三者を一時的に登録する都度、基地局の所有者が、手作業でＩＭＳＩを基地局２００に登録するのは煩わしい。本実施例によると、基地局２００は、ＰＲＡＣＨを受信した際に測定する伝搬遅延に基づいて、訪問者の端末と基地局２００との距離を推定する。また、基地局２００は、移動局がＰＲＡＣＨにおいて送信するＲＲＣ接続リクエストの受信回数に基づいて訪問者の滞在時間を推定する。基地局２００は、推定した距離および滞在時間が所定の条件を満たした場合に、自動的に訪問者のＩＭＳＩを記憶部４０に記録し、訪問者が基地局２００を利用できるようにする。これによって、基地局２００の所有者は、手作業でＩＭＳＩの書き込みを行う必要がなくなる。
【実施例２】
【００５６】
本発明の第２の実施例について、図面を参照して説明する。本実施例における基地局の構成は、図２と同様である。本実例においては、基地局２００は、記憶部４０に記録されたゲストユーザの情報を自動的に削除する。【００５７】
基地局２００の認証用データ記憶部４１に記録されたゲストユーザの情報を削除しない場合には、記憶部４０は、増大し続けるゲストユーザの情報を記録するために大きなメモリ量を必要とする。【００５８】
しかし、実際には、基地局２００に登録されたゲストユーザの中には、数週間、数ヶ月、または、数年に１回程度しか小規模セル９０へ来訪しないケースもありえる。したがって、ゲストユーザの情報を半永久的に保持するために、記憶部４０の記憶容量を大きくするのは無駄である。【００５９】
そこで、基地局２００に登録されたゲストユーザが所定の期間（例えば、数時間、数日、数週間、または数ヶ月）、基地局２００に対して呼接続要求または位置登録要求を行わない場合には、そのゲストユーザを記憶部４０に記録されたデータベースから削除することが好ましい。【００６０】
このとき、所定の期間経過後に登録を削除するユーザは、ゲストユーザとして登録されたユーザに限定することが好ましい。一方、基地局２００に予め登録されたユーザ（例えば、フェムトセルを設けた家の家族）は、所定の経過が経過しても登録されたままとすることが好ましい。かかる動作を実現するために、ユーザ情報を登録するためのデータベースは、ゲストユーザと、予め登録されたユーザとを区別して格納することが好ましい。【００６１】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。【００６２】
本発明は、以下に付記する形態の発明をも含むものである。【００６３】
（形態１）
上記第１の視点に係る登録装置。【００６４】
（形態２）
前記決定部は、前記移動局との距離が所定の距離以内である場合に前記移動局を登録するように決定することを特徴とする、形態１に記載の登録装置。【００６５】
（形態３）
前記決定部は、前記移動局の滞在期間が所定の期間以上である場合に前記移動局を登録するように決定することを特徴とする、形態１又は２に記載の登録装置。【００６６】
（形態４）
前記移動局からの伝搬遅延を測定するとともに、測定された伝搬遅延に基づいて前記移動局との距離を算出する距離算出部を備えていることを特徴とする、形態１乃至３のいずれか一に記載の登録装置。【００６７】
（形態５）
前記距離算出部は、前記移動局からの位置登録要求の受信時に前記伝搬遅延を測定することを特徴とする、形態４に記載の登録装置。【００６８】
（形態６）
前記移動局からの位置登録要求が継続した期間に基づいて前記移動局の滞在期間を算出する滞在期間算出部を備えていることを特徴とする、形態１乃至５のいずれか一に記載の登録装置。【００６９】
（形態７）
前記移動局からの位置登録要求の回数に基づいて前記移動局の滞在期間を算出する滞在期間算出部を備えていることを特徴とする、形態１乃至５のいずれか一に記載の登録装置。【００７０】
（形態８）
前記移動局からの位置登録要求は、物理ランダムアクセスチャネルにおいて送信されるＲＲＣ接続リクエスト（ＲＲＣ  Ｃｏｎｎｅｃｔｉｏｎ  Ｒｅｑｕｅｓｔ）であることを特徴とする、形態５乃至７のいずれか一に記載の登録装置。【００７１】
（形態９）
前記移動局からの位置登録要求に含まれる加入者識別子を記憶する記憶部を備えていることを特徴とする、形態１乃至８のいずれか一に記載の登録装置。【００７２】
（形態１０）
前記決定部は、前記記憶部に記憶された加入者識別子に基づいて前記移動局を識別することを特徴とする、形態９に記載の登録装置。【００７３】
（形態１１）
前記加入者識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であることを特徴とする、形態９又は１０に記載の登録装置。【００７４】
（形態１２）
形態１乃至１１のいずれか一に記載の登録装置を備えていることを特徴とする基地局。【００７５】
（形態１３）
上記第２の視点に係る移動局。【００７６】
（形態１４）
前記基地局との距離が所定の距離以内である場合に、前記基地局によって前記基地局に登録されるように決定されることを特徴とする、形態１３に記載の移動局。【００７７】
（形態１５）
前記滞在期間が所定の期間以上である場合に、前記基地局によって前記基地局に登録されるように決定されることを特徴とする、形態１３又は１４に記載の移動局。【００７８】
（形態１６）
上記第３の視点に係る無線通信基地局装置。【００７９】
（形態１７）
移動局との距離が所定の距離以内であって、該移動局のセルにおける滞在期間が所定の期間以上である場合に、該移動局の登録を許可することを特徴とする、形態１６に記載の無線通信基地局装置。【００８０】
（形態１８）
移動局からの伝搬遅延を測定し、測定された伝搬遅延に基いて該移動局との距離を算出することを特徴とする、形態１６又は１７に記載の無線通信基地局装置。【００８１】
（形態１９）
移動局からの位置登録要求の持続期間又はその回数に基いて、該移動局のセルにおける滞在期間を算出することを特徴とする、形態１６乃至１８のいずれか一に記載の無線通信基地局装置。【００８２】
（形態２０）
上記第４の視点に係る登録方法。【００８３】
（形態２１）
前記決定工程において、前記移動局との距離が所定の距離以内である場合に前記移動局が登録されることを特徴とする、形態２０に記載の登録方法。【００８４】
（形態２２）
前記決定工程において、前記移動局の滞在期間が所定の期間以上である場合に前記移動局を登録されることを特徴とする、形態２０又は２１に記載の登録方法。【００８５】
（形態２３）
前記移動局からの伝搬遅延を測定するとともに、測定された伝搬遅延に基づいて前記移動局との距離を算出する距離算出工程を含むことを特徴とする、形態２０乃至２２のいずれか一に記載の登録方法。【００８６】
（形態２４）
前記距離算出工程において、前記移動局からの位置登録要求の受信時に前記伝搬遅延が測定されることを特徴とする、形態２３に記載の登録方法。【００８７】
（形態２５）
前記移動局からの位置登録要求が継続した期間に基づいて前記移動局の滞在期間を算出する滞在期間算出工程を含むことを特徴とする、形態２０乃至２４のいずれか一に記載の登録方法。【００８８】
（形態２６）
前記移動局からの位置登録要求の回数に基づいて前記移動局の滞在期間を算出する滞在期間算出工程を含むことを特徴とする、形態２０乃至２４のいずれか一に記載の登録方法。【００８９】
（形態２７）
前記移動局からの位置登録要求に含まれる加入者識別子を記憶する記憶工程を含むことを特徴とする、形態２０乃至２６のいずれか一に記載の登録方法。【００９０】
（形態２８）
前記決定工程において、前記記憶工程において記憶された加入者識別子に基づいて前記移動局を識別することを特徴とする、形態２７に記載の登録方法。【００９１】
（形態２９）
上記第５の視点に係るプログラム。【００９２】
（形態３０）
前記決定処理において、前記移動局との距離が所定の距離以内である場合に前記移動局を登録するように決定する処理をコンピュータに実行させることを特徴とする、形態２９に記載のプログラム。【００９３】
（形態３１）
前記決定工程において、前記移動局の滞在期間が所定の期間以上である場合に前記移動局を登録するように決定する処理をコンピュータに実行させることを特徴とする、形態２９又は３０に記載のプログラム。【００９４】
（形態３２）
前記移動局からの伝搬遅延を測定するとともに、測定された伝搬遅延に基づいて前記移動局との距離を算出する距離算出処理をコンピュータに実行させることを特徴とする、形態２９乃至３１のいずれか一に記載のプログラム。【００９５】
（形態３３）
前記距離算出処理において、前記移動局からの位置登録要求の受信時に前記伝搬遅延を測定する処理をコンピュータに実行させることを特徴とする、形態３２に記載のプログラム。【００９６】
（形態３４）
前記移動局からの位置登録要求が継続した期間に基づいて前記移動局の滞在期間を算出する滞在期間算出処理をコンピュータに実行させることを特徴とする、形態２９乃至３３のいずれか一に記載のプログラム。【００９７】
（形態３５）
前記移動局からの位置登録要求の回数に基づいて前記移動局の滞在期間を算出する滞在期間算出処理をコンピュータに実行させることを特徴とする、形態２９乃至３３のいずれか一に記載のプログラム。【００９８】
（形態３６）
前記移動局からの位置登録要求に含まれる加入者識別子を記憶部に記憶させる記憶処理をコンピュータに実行させることを特徴とする、形態２９乃至３５のいずれか一に記載のプログラム。【００９９】
（形態３７）
前記決定処理において、前記記憶部に記憶された加入者識別子に基づいて前記移動局を識別する処理をコンピュータに実行させることを特徴とする、形態３６に記載のプログラム。
【符号の説明】
【０１００】
１０、２０  登録装置
１１  決定部
１２  距離算出部
１３  滞在期間算出部
１４、４０  記憶部
３０  制御部
３１  認証処理部
３２  メッセージ処理部
４１  認証用データ記憶部
４２  位置情報記憶部
５０  ベースバンド信号処理部
５１  ＰＲＡＣＨ信号処理部
６０  送受信部
７０、８０  移動局
９０  小規模セル
１００、２００  基地局
【図１】
2010090233.tif 000003
【図２】
2010090233.tif 000004
【図３】
2010090233.tif 000005
【図４】
2010090233.tif 000006
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
小規模セルにおける移動局を登録する登録装置であって、
前記移動局との距離、及び前記移動局の滞在期間に基づいて前記移動局を登録するか否かを決定する決定部を備えていることを特徴とする登録装置。
【請求項２】
前記決定部は、前記移動局との距離が所定の距離以内である場合に前記移動局を登録するように決定することを特徴とする、請求項１に記載の登録装置。
【請求項３】
前記決定部は、前記移動局の滞在期間が所定の期間以上である場合に前記移動局を登録するように決定することを特徴とする、請求項１又は２に記載の登録装置。
【請求項４】
前記移動局からの伝搬遅延を測定するとともに、測定された伝搬遅延に基づいて前記移動局との距離を算出する距離算出部を備えていることを特徴とする、請求項１乃至３のいずれか１項に記載の登録装置。
【請求項５】
前記距離算出部は、前記移動局からの位置登録要求の受信時に前記伝搬遅延を測定することを特徴とする、請求項４に記載の登録装置。
【請求項６】
前記移動局からの位置登録要求が継続した期間に基づいて前記移動局の滞在期間を算出する滞在期間算出部を備えていることを特徴とする、請求項１乃至５のいずれか１項に記載の登録装置。
【請求項７】
前記移動局からの位置登録要求の回数に基づいて前記移動局の滞在期間を算出する滞在期間算出部を備えていることを特徴とする、請求項１乃至５のいずれか１項に記載の登録装置。
【請求項８】
前記移動局からの位置登録要求は、物理ランダムアクセスチャネルにおいて送信されるＲＲＣ接続リクエスト（ＲＲＣ  Ｃｏｎｎｅｃｔｉｏｎ  Ｒｅｑｕｅｓｔ）であることを特徴とする、請求項５乃至７のいずれか１項に記載の登録装置。
【請求項９】
前記移動局からの位置登録要求に含まれる加入者識別子を記憶する記憶部を備えていることを特徴とする、請求項１乃至８のいずれか１項に記載の登録装置。
【請求項１０】
前記決定部は、前記記憶部に記憶された加入者識別子に基づいて前記移動局を識別することを特徴とする、請求項９に記載の登録装置。
【国際調査報告】
2010090233.tif 000007
2010090233.tif 000008